(57)【要約】      （修正有）【課題】スペースが限られた敷地内において、展示に場所をとらず、かつ、容易に移動することができる自動車の商品見本を提供する。【解決手段】自動車の商品見本であって、手押し台車と、手押し台車の荷台１０１に載置された底部１０５と、自動車の種類に応じた外形を模した立体的形状１０６であって、底部１０５に固設されたものと、を備える。立体的形状１０６の側壁１０７は、手押し台車のハンドル１０２を包囲して形成されている。これにより、顧客に対して自動車の種類に応じたイメージを喚起させ、展示に場所をとらず、かつ、容易に移動することができる。【選択図】図２
0003205972.tif 000002
【実用新案登録請求の範囲】
【請求項１】
自動車の商品見本であって、
手押し台車と、
前記手押し台車の荷台に載置された底部と、
前記自動車の種類に応じた外形を模した立体的形状であって、前記底部に固設されたものと、
を備えることを特徴とする、自動車の商品見本。
【請求項２】
自動車の商品見本であって、
前記立体的形状の側壁は、前記手押し台車のハンドルを包囲して形成されていることを特徴とする、請求項１に記載の自動車の商品見本。
【請求項３】
自動車の商品見本であって、
前記立体的形状の側壁は、高さ方向に前記底部から下方に、前記手押し台車の荷台の上端から前記手押し台車の車輪の下端までの長さよりも短い範囲で伸長され、少なくとも前記手押し台車の荷台の側部を掩覆して形成されていることを特徴とする、請求項１又は２に記載の自動車の商品見本。
【請求項４】
自動車の商品見本であって、
手押し台車の荷台に載置されるべき底部と、
前記自動車の種類に応じた外形を模した立体的形状であって、前記底部に固設されたものと、
を備え、
前記立体的形状の側壁は、前記手押し台車のハンドルを包囲すべく形成されていることを特徴とする、自動車の商品見本。
【請求項５】
自動車の商品見本であって、
手押し台車の荷台に載置されるべき底部と、
前記自動車の種類に応じた外形を模した立体的形状であって、前記底部に固設されたものと、
を備え、
前記立体的形状の側壁は、高さ方向に前記底部から下方に、前記手押し台車の荷台の上端から前記手押し台車の車輪の下端までの長さよりも短い範囲で伸長され、少なくとも前記手押し台車の荷台の側部を掩覆すべく形成されていることを特徴とする、自動車の商品見本。
【考案の詳細な説明】
【技術分野】
【０００１】
本考案は、スペースが限られた敷地内において、展示に場所をとらず、かつ、容易に移動することができる自動車の商品見本に関するものである。
【背景技術】
【０００２】
昨今、ガソリンスタンド等において、顧客に対して自動車を販売したいという要望がある。
【０００３】
販売する自動車の写真の展示のみでは顧客に訴求しないため、実車を展示することが最も良いが、実車を展示する十分なスペースがないということが問題となっている。
【０００４】
先行技術に、自動車に形成される塗膜の塗装色を観察する塗装色観察用自動車モデルパネルにおいて、前記自動車の縮小モデルであり、自動車車体を車体の前後方向に、ほぼ半分にカットした片側のカットモデルである塗装色観察用自動車モデルパネルがあるが（特許文献１参照）、容易に移動することができる自動車の商品見本を提供することについては記載も示唆もされていない。また、手押し台車を用いること、商品見本の側壁が手押し台車のハンドルを包囲すること、又は、商品見本の側壁が手押し台車の荷台の側部を掩覆することについては記載も示唆もされていない。
【先行技術文献】
【特許文献】
【０００５】
【特許文献１】特開２００３−２４１６７０号公報
【考案の概要】
【考案が解決しようとする課題】
【０００６】
解決しようとする問題点は、顧客に対して自動車を販売する場合に、販売する自動車の写真の展示のみでは顧客に訴求しないため、実車を展示することが最も良いが、スペースが限られた敷地内では、実車を展示する十分なスペースがない点である。
【課題を解決するための手段】
【０００７】
本考案は、スペースが限られた敷地内で、顧客に対して自動車を販売する場合に、実車の展示に代えた商品見本として、手押し台車と、該手押し台車の荷台に載置された底部と、該自動車の種類に応じた外形を模した立体的形状であって、該底部に固設されたものと、を備えることを最も主要な特徴とする。
【考案の効果】
【０００８】
本考案の自動車の商品見本は、手押し台車と、該手押し台車の荷台に載置された底部と、該自動車の種類に応じた外形を模した立体的形状であって、該底部に固設されたものと、を備えるため、顧客に対して自動車の種類に応じたイメージを喚起させ、展示に場所をとらず、かつ、容易に移動することができるという利点がある。
【図面の簡単な説明】
【０００９】
【図１】本発明の実施例１の全体の斜視図
【図２】本発明の実施例１の右側面図
【図３】本発明の実施例２の全体の斜視図
【考案を実施するための形態】
【００１０】
スペースが限られた敷地内において、顧客に対して自動車の種類に応じたイメージを喚起させ、展示に場所をとらず、かつ、容易に移動することができる自動車の商品見本を実現した。
【００１１】
請求項１に記載の「立体的形状」は、素材を限定するものではないことは言うまでもなく、金属板、合板、パーティクルボード、ＭＤＦ、集成材、ダンボール、その他の素材を使用することが可能であるが、軽さと耐久性と経済性の観点から、プラスティック・ダンボールが最適である。
【００１２】
請求項３に記載の「少なくとも前記手押し台車の荷台の側部を掩覆して形成されている」「側壁」は、地面に擦らない範囲で、手押し台車の車輪をも掩覆して形成されていることが望ましい。
【実施例１】
【００１３】
図１から図２は、本発明の請求項１、請求項２及び請求項３の実施例である。図１は、本発明の実施例１の全体の斜視図である。図２は、本発明の実施例１の右側面図である。
【００１４】
本発明の実施例１の自動車の商品見本は、手押し台車と、手押し台車の荷台１０１に載置された底部１０５と、自動車の種類に応じた外形を模した立体的形状１０６であって、底部１０５に固設されたものと、を備える。これにより、顧客に対して自動車の種類に応じたイメージを喚起させ、展示に場所をとらず、かつ、容易に移動することができる。
【００１５】
立体的形状１０６の側壁１０７は、手押し台車のハンドル１０２を包囲して形成されている。これにより、手押し台車のハンドル１０２を用いて、自動車の商品見本の容易な移動に資するとともに、四方の側壁１０７に自動車の前部、後部及び側部を描くことができるため、顧客に対して自動車の種類に応じたイメージを鮮明に訴求することができる。
【００１６】
立体的形状１０６の側壁１０７は、高さ方向に底部１０５から下方に、手押し台車の荷台１０１の上端から手押し台車の車輪１０３の下端までの長さよりも短い範囲で伸長され、手押し台車の荷台の側部１０４を掩覆し、更に、手押し台車の車輪１０３の一部をも掩覆して形成されている。これにより、立体的形状１０６の側壁１０７が地面に擦れて移動の邪魔になることを避けるとともに、地面の付近の台車の存在を意識させず、顧客に対して自動車の種類に応じたイメージを鮮明に訴求することができる。
【００１７】
以上が、請求項１、請求項２及び請求項３に記載の自動車の商品見本の主な構成である。
【実施例２】
【００１８】
図３は、本発明の請求項４及び請求項５の実施例である。図３は、本発明の実施例２の全体の斜視図である。
【００１９】
本発明の実施例２の自動車の商品見本は、手押し台車の荷台に載置されるべき底部と、自動車の種類に応じた外形を模した立体的形状２０１であって、該底部に固設されたものと、を備える。そして、立体的形状２０１の側壁２０２は、手押し台車のハンドルを包囲すべく形成されている。また、立体的形状２０１の側壁２０２は、高さ方向に該底部から下方に、手押し台車の荷台の上端から手押し台車の車輪の下端までの長さよりも短い範囲で伸長され、手押し台車の荷台の側部を掩覆し、かつ、手押し台車の車輪の一部をも掩覆すべく形成されている。これにより、手押し台車を用いて、自動車の商品見本を容易に移動することができるとともに、手押し台車を占有するすることなく、自動車の商品見本を展示することができる。
【００２０】
以上が、請求項４及び請求項５に記載の自動車の商品見本の主な構成である。
【産業上の利用可能性】
【００２１】
本発明の自動車の商品見本は、工業的に量産することが可能であり、スペースが限られた敷地内で、顧客に対して自動車の種類に応じたイメージを喚起させ、展示に場所をとらず、かつ、容易に移動するのに特に有用である。
【符号の説明】
【００２２】
１０１    手押し台車の荷台
１０２    手押し台車のハンドル
１０３    手押し台車の車輪
１０４    手押し台車の荷台の側部
１０５    底部
１０６    立体的形状
１０７    側壁
２０１    立体的形状
２０２    側壁
【図１】
0003205972.tif 000003
【図２】
0003205972.tif 000004
【図３】
0003205972.tif 000005